(57)【特許請求の範囲】
【請求項１】
胴部（２）内周底部に周縁部を摺動上昇可能に嵌合させた可動底壁（A3）を有する容器体（Ａ）と、容器体口頸部（４）内に下端のシリンダ（B2）を垂設して容器体（Ａ）に装着したポンプ（Ｂ）とを備え、ポンプ（Ｂ）の作動による容器体（Ａ）内の液の減少に伴い可動底壁（A3）が上昇する如く構成した液体吐出容器に於いて、
周縁部を構成する逆スカート状部（33）を容器体胴部（２）内周上部に摺動可能に嵌合させた蓋板部（30）の中央にシリンダ（B2）を挿通させる窓孔（31）を備え、窓孔（31）周縁の蓋板部（30）より口頸部（４）内に起立する筒部（32）を立設した蓋部材（A4）を設け、
シリンダ（B2）に形成した下向き段部（61）を、筒部（32）内面に形成した上向き段部（34）と当接させて蓋部材（A4）の押し下げを可能に構成し、当接面を、上下をシールするシール部として構成し、
逆スカート状部（33）を、ポンプ（Ｂ）を容器体（Ａ）に装着して下降させた際に蓋板部（30）と液面との間の加圧エアーを蓋板部（30）上方へ排出する排出機構としての、蓋板部（30）下方から上方へ一方的に連通する逆止弁（ｖ）とし、
口頸部４内面と、筒部（32）外面とのいずれか一方に、対向面に外面を摺動させる不連続突条（35）を突設し、いずれか他方に、対向面と外面との間に隙間を設けて突設した環状突条（５）を突設し、相互の係合により下降位置でそれ以上の下降を防止する下降防止手段としたことを特徴とする液体吐出容器。
【請求項２】
可動底壁（A3）の中央部に装着したシリンダ（B2）の下端部を収納する収納凹部22を凹設した請求項１記載の液体吐出容器。
【発明の詳細な説明】
【技術分野】
【０００１】
本発明は液体吐出容器に関する。
【背景技術】
【０００２】
液体吐出容器として、容器体にポンプを装着した種々の形態のものが知られている。例えば、内周面が上下同径をなす筒状の胴部上端縁より肩部を介して口頸部を起立するとともに、胴部内周底部に周縁部を摺動上昇可能に嵌合させて胴部下端開口を閉塞する可動底壁を有する容器体と、口頸部内に下端のシリンダを垂設して着脱可能に容器体に装着するとともに、シリンダ上端より上方付勢状態で上下動可能に突出したステムの上端に噴出ヘッドを有するポンプを着脱可能に装着したものがある。これらはポンプにより容器体内の液を吸い上げて吐出した際に可動底壁が上昇する如く構成したもので、収納液が空気との接触を好まないものの場合には特に有効に使用できる。
【０００３】
従来のこの種の液体吐出容器では、既存のポンプを可動底壁付きの容器体に装着することにより形成できるため、製造が容易で好ましく利用されているが、容器体の口頸部とポンプのシリンダとの間に比較的大きな隙間が存在し、液の充填を行うとその部分に空気が残存する。即ち、容器体上方から胴部内に液を注入した後ポンプを装着すれば、口頸部内部には空気が残る。
【０００４】
従って、量は少ないといっても空気が液と接触するという不都合がある。また、容器使用当初ポンプ内に残存する空気を除くために噴出ヘッドの上下動を数回繰り返す所謂プライミング操作を行うが、その後にも口頸部からの空気を引き入れるためプライミング操作の回数が増加し、しかも空気の混在した液を噴出するという不都合を生じる場合もある。その対策として口頸部内のシリンダとの間に液が充満する程度に予め液を注入しておけば空気の残存は防止できるが、可動底壁が最上昇位置まで移行してもその部分の液の吐出は困難であり、最後まで吐出されない液が残って無駄となる不都合もある。
【０００５】
この様な点を考慮した液体吐出容器を本出願人は既に提案している（例えば、特許文献１参照）。この液体吐出容器は、シリンダ外周より口頸部内周面と小間隙をあけてフランジを突設するとともに、フランジ外周縁部を口頸部内周下端部に突設した環状のシール突部と液密に係合させるという構成を備えている。                                          
【０００６】
この液体吐出容器は、容器体胴部内の空気をフランジ上方に隔離できて液を収納した部分に空気を無くすことができ、プライミング操作後の噴出液中への空気の混在を防止でき、また、充填した胴部内の液は効率良く吐出できて無駄がない等の効果を発揮する優れたものである。
【特許文献１】特開２００４−００１８１７号公報
【発明の開示】
【発明が解決しようとする課題】
【０００７】
本発明は上記した液体吐出容器に更に改良を重ね、より確実に容器体内上部の空気を液と分離でき、その結果、プライミング操作後の噴出液中への空気の混在を防止でき、収容液の空気との接触を防止でき、また、口頸部内に於ける吐出の出来ない無駄な液の存在をなくすことができる優れた液体吐出容器を提案するものである。
【課題を解決するための手段】
【０００８】
第１の手段として、以下の通り構成した。即ち、胴部２内周底部に周縁部を摺動上昇可能に嵌合させた可動底壁A3を有する容器体Ａと、容器体口頸部４内に下端のシリンダB2を垂設して容器体Ａに装着したポンプＢとを備え、ポンプＢの作動による容器体Ａ内の液の減少に伴い可動底壁A3が上昇する如く構成した液体吐出容器に於いて、
周縁部を構成する逆スカート状部33を容器体胴部２内周上部に摺動可能に嵌合させた蓋板部30の中央にシリンダB2を挿通させる窓孔31を備え、窓孔31周縁の蓋板部30より口頸部４内に起立する筒部32を立設した蓋部材A4を設け、
シリンダB2に形成した下向き段部61を、筒部32内面に形成した上向き段部34と当接させて蓋部材A4の押し下げを可能に構成し、当接面を、上下をシールするシール部として構成し、
逆スカート状部33を、ポンプＢを容器体Ａに装着して下降させた際に蓋板部30と液面との間の加圧エアーを蓋板部30上方へ排出する排出機構としての、蓋板部30下方から上方へ一方的に連通する逆止弁ｖとし、
口頸部４内面と、筒部32外面とのいずれか一方に、対向面に外面を摺動させる不連続突条35を突設し、いずれか他方に、対向面と外面との間に隙間を設けて突設した環状突条５を突設し、相互の係合により下降位置でそれ以上の下降を防止する下降防止手段とした。
【００１５】
第２の手段として、以下の通り構成した。即ち、前記第１の手段に於いて、可動底壁A3の中央部に装着したシリンダB2の下端部を収納する収納凹部22を凹設した。
【発明の効果】
【００１６】
本発明によれば、蓋部材A4の存在でポンプＢを装着する際に蓋部材A4下方に存在するエアーを加圧してその上方へ確実に排出することができるため、液を収納した部分には空気がなく、空気との接触を好まない液を充填した場合でも液に不都合を生じることを極力回避できるとともに、プライミング操作の回数を減らすことができ、また、プライミング操作後の噴出液中への空気の混在を防止できる。更に、充填した胴部内の液は効率よく吐出することができて無駄がなく、しかも、従来品と比較して簡単な構造変更により形成できるため、製造コストの増加も少なくてすむなど種々の効果を有するものである。
【００１７】
前記排出機構を、蓋板部30下方から上方へ一方的に連通する逆止弁ｖとして構成した場合には、ポンプＢ装着後のエアー排出後には、排出機構部分に於ける液とエアーとの接触を確実に防止できる利点がある。
【００１８】
前記逆止弁ｖを、蓋板部30周縁部を構成する逆スカート状部33として構成した場合には、逆止弁ｖを蓋板部30と一体的に形成できる製造上の利点がある。
【００１９】
前記蓋部材A4を、窓孔31周縁の蓋板部30より口頸部４内に起立する筒部32を立設して構成した場合には、蓋部材A4の下降の際に口頸部４に案内されて安定した下降が可能となり、また、筒部32を利用した下降防止手段や押下手段を形成できて構造の簡略化を図れる利点もある。
【００２０】
前記下降防止手段を、口頸部４内面に設けた係止突部と、筒部32外面に設けた係合突部とで構成した場合には、口頸部４内面と筒部32外面とに各係止突部，係合突部を形成するという簡略な構造で目的を達成できる利点があり、例えば、容器体Ａの肩部３裏面から下降防止手段を構成する係合板を垂設し、他方、蓋板部30上面から係合板に係合する係止板を立設する等の複雑な構造を必要としない。
【００２１】
前記係止突部及び係合突部のいずれか一方を、対向面に外面を摺動させる不連続突条35で構成し、いずれか他方を、対向面と外面との間に隙間を設けて突設した環状突条５で構成した場合には、口頸部４に筒部32が摺動して下降することができてより安定した蓋部材A4の下降が可能となり、また、下降防止のために両者が係合した際には、蓋板部30上方に排出されたエアーを更に上方に逃がすことができる利点がある。
【００２２】
前記シリンダB2に形成した下向き段部61を、筒部32内面に形成した上向き段部34と当接させて蓋部材A4の押し下げを可能に構成し、当接面を、上下をシールするシール部として構成した場合には、この部分に於いても外気と液との接触を確実に防止できる利点がある。
【００２３】
可動底壁A3の中央部に装着したシリンダB2の下端部を収納する収納凹部22を凹設した場合には、シリンダB2の下端部の蓋板部30下方の突出幅に拘わらず、収容液の無駄のない吐出を行える利点がある。
【発明を実施するための最良の形態】
【００２４】
以下、本発明の実施例の形態を図面を参照して説明する。
【００２５】
図１乃至図３は液体吐出容器１の一例を示すもので、該液体吐出容器１は、容器体Ａと、ポンプＢとを備えている。
【００２６】
容器体Ａは合成樹脂等により形成されたもので、内周面が上から下まで同径の筒状胴部２上端縁より肩部３を介して口頸部４を起立して構成した本体部A1と、本体部A1の下端に嵌着した底キャップA2とから構成しており、内部に可動底壁A3を装着している。底キャップA2は胴部２外周下端部に嵌合させた嵌合筒部10下端縁より胴部下端開口を閉塞する底壁11を延設し、底壁11上面中央部には可動底壁A3を所定位置に支持する支持筒部12を立設している。
【００２７】
可動底壁A3は、胴部２内周底部に周縁部を摺動上昇可能に嵌合させて装着した形態のもので、底板20の周縁部に、上下縁を上向き及び下向きのスカート状に形成した筒状の摺動部21を延設している。また、底板20中央部を、シリンダの下端部が隙間を少なく収納できる収納凹部22に形成している。更に、底板20下面中央より底キャップの支持筒部12上に下端を当接する短筒23を垂設している。
【００２８】
ポンプＢも合成樹脂等により形成されたもので、装着キャップB1、シリンダB2、作動部材B3を備えている。装着キャップB1は、ポンプＢを容器体Ａに装着固定するためのもので、口頸部４外周に螺着させた周壁50の上端より内方へフランジ状の頂板51を延設し、頂板51上面周縁部には案内筒52を立設している。そして、頂板51と口頸部４との間にパッキンｐを介在させてこの部分での液密性を図り、容器体Ａに装着している。
【００２９】
シリンダB2は、装着キャップB1の頂板51内周縁より立設した嵌合筒53内面に上端部を嵌着し、嵌合筒53の上端縁より内方へ延びた後下方へ下る鉤肩の係止部で固定している。そして、口頸部４内面との間に隙間をあけて口頸部４内に垂下し、下端部を容器体Ａ内上部に突出させている。シリンダB2は嵌着部分以外の上部を大径部60とし、下端部を下向き段部61を介して縮径した小径部62に形成している。下向き段部61は後述する蓋部材の押し下げを行うためのものであり、また、蓋部材の上下を遮断するシール部の一部を構成する。      
【００３０】
作動部材B3は上方付勢状態で押し下げ可能に設けられたもので、シリンダB2内周に摺動可能に嵌合させたピストン（図示せず）を下部に連繋させたステム70を備え、ステム70の上端に吐出ヘッド71を嵌着している。
【００３１】
また、ポンプＢは上記各部材に加えてシリンダB2内部に設けた吸込弁（図示せず）やステム70内に設けた吐出弁（図示せず）を備えており、作動部材B3を上下動させることによりシリンダB2内の液を吐出ヘッド71の吐出口72より吐出するとともに、容器体Ａ内の液をシリンダB2内に吸い込む公知のポンプ機構を備えている。
【００３２】
尚、上記例に於けるポンプＢはあくまで一例であり、口頸部内に下端のシリンダを垂下して容器体に装着し、容器体内の液を吐出可能なものであれば上記例に限らず種々採用できる。
【００３３】
上記した如き液体吐出容器において、本発明では蓋部材A4を設けている。蓋部材A4は容器体胴部２内上部に周縁部を摺動可能に嵌合させた蓋板部30の中央にシリンダB2を挿通させる窓孔31を穿設しており、窓孔31周縁部の蓋板部30上面から口頸部４内に起立する筒部32を立設している。蓋板部30はドーナツ板状をなし、外周縁を下方へＵ字状に凹ませてその外縁部を斜め上方に延設して逆スカート状部33として構成しており、逆スカート状部33の外縁部を容器体胴部２内面に摺動可能に嵌合させている。
【００３４】
窓孔31及び筒部32はシリンダが挿通可能な径を備えており、筒部32の内周上部は上向き段部34を介して大径化しており、上向き段部34下方の小径部分にシリンダB2下端部の小径部62が挿通可能で、上向き段部34上方の大径部分にシリンダB2上部の大径部60が挿通可能に構成している。また、ポンプＢを容器体Ａに装着する際に、蓋部材A4の上向き段部34とシリンダB2の下向き段部61が係合して蓋部材A4を押し下げる如く構成している。
【００３５】
また、蓋部材A4は下降位置でそれ以上の下降を防止する下降防止手段を備えている。蓋部材A4が筒部32を備えている場合には、口頸部内面に係止突部を、筒部外面に係合突部を設けて両者を係合させる如く構成すると良い。本例では、筒部32の外周上部に係合突部としての上下一対の不連続突条35を突設し、口頸部４の内周下端部に突設した係止突部としての環状突条５と下降位置で係合する如く構成している。下部の不連続突条35が環状突条５を乗り越えて上部の不連続突条35との間に環状突条５を挟持する如く構成している。各不連続突条35は口頸部４内周面に摺動可能に構成しており、また、環状突条５はシリンダB2外周面とは隙間をあけた突出幅をもって突出している。従って、各不連続突条35と環状突条５の係合部分に於いてはその上下を空気が通過可能に構成している。尚、下降防止手段は本例の形態に限らず、種々の形態を採用できる。例えば、筒部32の外面に係合突条を、口頸部４内面に係止突条を突設して係合させる形態であっても良く、また、容器体Ａの肩部３下面に係止突起を突設した係止板を垂設し、一方蓋板部30の上面に係合突起を突設した係合板を立設し、蓋部材A4を押し下げた際に係止突起と係合突起とが係合する如く構成しても良い。
【００３６】
また、ポンプ装着の際にシリンダB2の押し下げにより下降して蓋板部30と液面との間のエアーを上方へ排出する排出機構を備えている。排出機構としては、蓋板部30下方から上方へ一方的に連通する逆止弁ｖが採用でき、本例では図１に示す逆スカート状部33を逆止弁ｖとして採用している。逆止弁ｖとしてはこの様な逆スカート状部33の形態の他に上記要件を備えれば種々採用でき、例えば、蓋板部30に穿設した弁孔を、筒部32外面に嵌着した装着筒にヒンジを介して連結した開閉弁板で開閉可能に閉塞する開閉弁形態のもの等が採用できる。
【００３７】
排出機構として、シリンダB2と筒部32との間に隙間を設けることで排出機構とすることもできる。この場合、隙間の幅が大きいとポンプ装着後に蓋部材A4の上下が連通状態となり好ましくないので、ポンプ装着後に隙間に液が充満した状態でその液が移動しない程度の狭い幅が好ましく、例えば、０．１〜０．２mm程度が好ましく採用でき、粘度等の収容液の物性により適宜選択すれば良い。この隙間の排出機構を採用する場合も逆止弁ｖと併用することが好ましい。
【００３８】
上記の如く構成した液体吐出容器１は、ポンプＢを装着するに当たり、予め蓋部材A4，可動底壁A3を装着した容器体Ａに収容液を充填しておく。充填方法として、例えば、底キャップA2を外した本体部A1内上端部に図２に示す如く蓋部材A4を嵌合させた後、可動底壁A3を本体部A1内周下部に嵌合させ、底キャップA2を嵌着して短筒23を支持筒部12で押し上げることで可動底壁A3を所定位置に移行する。次いで口頸部４より液を充填する。この際、蓋部材A4はその周縁部が最上昇位置にあり、各不連続突条35と環状突条５とは係合されていない。また、収容液はその液面が蓋部材A4より若干下方レベルに位置する如く充填される。
【００３９】
次いで、ポンプＢを容器体Ａに装着する。装着キャップB1の周壁50を口頸部４外周に螺動下降させると、シリンダB2の下向き段部61が蓋部材A4の上向き段部34と係合して蓋部材A4を押し下げる。この際下向き段部61と上向き段部34の部分で上下の連通をシールされるため、蓋部材A4下方に残存するエアーは加圧されて逆止弁ｖとしての逆スカート状部33からその上方へ排出される。尚、この際若干量の液がエアーとともに蓋板部30上方へ移行することも考えられる。装着キャップB1の螺着が終了すると、シリンダに於ける下方の不連続突条35が口頸部４の環状突条５を乗り越え、上部の不連続突条35と下部の不連続突条35との間に環状突条５を係合し、ポンプＢ作動時の液の減少による容器体Ａ内の負圧化で蓋部材A4がそれ以上下降するのを防止する。また、蓋板部30上方に排出されたエアーは各不連続突条35と環状突条５との係合部分を介してその上方へ排出される。
【００４０】
そして、ポンプＢを装着してエアーの排出された蓋部材A4の下部内には図１に示す如く、液のみが充填された状態となる。この状態からポンプＢを作動させて収容液を吐出すれば、蓋部材A4下方の容器体Ａ内が負圧化し、可動底壁A3が上昇する。この際、蓋部材A4は下降防止手段により下降しない。全ての液を吐出し終われば、図３に示す如く、可動底壁A3は蓋部材A4に当接する位置まで上昇し、その際、可動底壁A3の収納凹部22内にはシリンダB2の突出した下端が収容され、無駄なく液の吐出を行える。
【図面の簡単な説明】
【００４１】
【図１】液体吐出容器の一部切欠側面図である。（実施例１）
【図２】ポンプを容器体に装着する際の説明図である。（実施例１）
【図３】収容液を吐出し終わった状態の一部切欠側面図である。（実施例１）
【符号の説明】
【００４２】
１…液体吐出容器
Ａ…容器体
A1…本体部
２…胴部，３…肩部，４…口頸部，５…突条
A2…底キャップ
10…嵌合筒部，11…底壁，12…支持筒部
A3…可動底壁
20…底板，21…摺動部，22…収納凹部，23…短筒
A4…蓋部材
30…蓋板部，31…窓孔，32…筒部，33…逆スカート状部，34…上向き段部，
35…不連続突条                                                                ｖ…逆止弁
Ｂ…ポンプ
B1…装着キャップ
50…周壁，51…頂板，52…案内筒，53…嵌合筒
B2…シリンダ
60…大径部，61…下向き段部，62…小径部
B3…作動部材
70…ステム，71…吐出ヘッド，72…吐出口
ｐ…パッキン
【図１】
0005126838.tif 000002
【図２】
0005126838.tif 000003
【図３】
0005126838.tif 000004